(57)【要約】【課題】温暖化による異常気象による旱魃、水害等の被害に対し、特に降雨を促すための雲を発生させる。【解決手段】高速上昇気流を作るために、２階建構造１の１階部１ａに駆動部３で制御される上空に噴射孔を向けたジェットエンジン２を設け、その噴出した上昇気流を通すために２階建構造の２階部１ｂに、ネット製通路４を取り付け、其のネット製通路４の他の端を１０００ｍまで立ち上げる熱気球機能５を取り付けた構成により積乱雲を発生させる。【選択図】図１
2007104904.tif 000002
【特許請求の範囲】
【請求項１】
上下２段の構造に、下段には噴射孔を上に向けたジェットエンジンを設け、該ジェットエンジンの噴射孔から距離を持たせた位置の上段には、煙突形状となる耐熱素材のネットを設ける。前記ジェットエンジンから噴射される高温高速気流を、前記煙突状に伸ばせる円柱状ネットを装着する部位、そのジェットエンジンの噴射気流を所定の高さまで導くために耐熱素材のネットを煙突状に形成し、このネットの上部には熱気球機能を持たせてジェットエンジン出力の高温噴射気流によりネットの煙突状体を維持する手段により、上空に噴射して拡散された高温気流は急速に冷やされて雲を発生させて積乱雲となることを特徴とする積乱雲発生システム。
【請求項２】
前記積乱雲は発生システムの周辺の広い範囲に太陽光線の赤外線を吸収して発熱すする敷物を敷くことで積乱雲発生システムへの空気の流れを良くしジェットエンジンの機能を高めることを特徴とする積乱雲発生システム。
【請求項３】
前記積乱雲発生システムの設置場所が砂漠等で海から離れた場所では、海岸線から多数のプロペラを所定の間隔で一列に並べて設置し、プロペラを回転させて風の道を作り、海岸の湿った空気を前記積乱雲発生システムに送り込み積乱雲の発生を促すことを特徴とする積乱雲発生システム。
【発明の詳細な説明】
【技術分野】
【０００１】
本発明は、地球温暖化等の影響を受けて旱魃や日照りによる自然体系の崩壊を食い止めることを目的とした気象状態の正常化に関するものである。
【背景技術】
【０００２】
今年に入り異常気象が多発して、四国の早見浦ダムの貯水率の激減が報じられ、遂に０％もで落ち込んでしまったその後は驚異の巨大台風により満水になった。
【０００３】
異常気象は国内だけの問題ではなく世界規模で発生しており、２００３年４月７日にモロッコ王国で第８回ＷＭＯ気象改変に関する科学会議が開催された。その出席報告書が村上正隆氏によりインターネット上に記載されています。
【０００４】
この会議において報告書には降雨降雪に関しては、昔からのドライアイスや液体炭酸液体プロパン等を散布するものや、吸湿性粒子をもちいる非低温などのシーデング方式や、ジェットエンジンによる霧発生などがある。
【０００５】
夏になると瀬戸内海では晴れた日の午後になると山並みに雲が発生する。特に四国山脈は１０００ｍ前後の高度であり、地表が温められた状態では風は山側に昇り１０００ｍ付近で冷やされることで霧を発生する。この理由はインターネットの「空気の上昇と雲の発生」に記載されている。しかし、翌朝にはカラット晴れて雲は無くなる。これは積乱雲のように１０００ｍを超えたあたりの激しい気流の上昇気流と降下気流が起こらないために、霧となっても静かに消滅するためである。
【０００６】
雲の発生とは別に、熱気球については、インターネット「unsaved:///newpage1.htp」
の熱気球の説明に、３〜４人乗りで約２０００立方メートル、直径１７ｍ高さ２４ｍ、重量２００〜２５０ｋｇと記載されている。これは熱気球は大きさにより持ち上げる重量に差がでることを示す。
【非特許文献１】武田喬男著書  雨の科学
【発明の開示】
【発明が解決しようとする課題】
【０００７】
地球温暖化等の影響を受けて旱魃や日照りによる自然体系の崩壊を食い止めるのに雨を降らせるための雲を発生させることを目的点とする。
【課題を解決するための手段】
【０００８】
本発明は、ジェットエンジン出力により上昇気流を発生させて１０００ｍを越える高さまで上昇させて、ジェットエンジンの噴出流のスピードや温度で、その付近の気温まで下がるときに激しく雲ができることを最も主要な特徴とする。
【発明の効果】
【０００９】
本発明の積乱雲発生システムは、酷暑のときや砂漠などにおいて、積乱雲を発生させて降雨の可能性を作り出す効果がある。よって、砂漠にも豊かな水を得て緑地帯が広がりＣＯ２を吸収して地球温暖化にも寄与する。
【発明を実施するための最良の形態】
【００１０】
大地付近の大量の空気を上空１０００ｍ付近まで押し上げて雲を発生させるために、ジェットエンジンを上空に向けて噴射させ、その噴射気流を周りの空気を巻き込み上空に導くための耐熱処理したネット製生地を筒状に形成した噴射流の誘導路と。その誘導路を天空まで引き伸ばすための熱気球とで構成する。
【実施例１】
【００１１】
図１は、本発明の実施状態を説明するための図である。積乱雲発生させる部位を設置する２階建構造体１の１階部１ａにはジェットエンジン２とジェットエンジン２を操作する駆動部３を設ける。ネッツト製通路４を取り付けた２階部１ｂ。前記ネット製通路４には、ジェットエンジン２の噴射流を天空まで引き伸ばすための熱気球機能５を設けた構造。
【００１２】
動作について説明する。先ず２階部１ｂに置かれたネット製通路４を立ち上げるために熱気球機能５に熱い空気を送り込む。この場合高温過ぎると焼けて使用不能となるので上昇用に熱気球に使用されるガスバーナによるか、駆動部３で制御して、ジェットエンジン２の始動準備状態での低温出力でもよい。熱気球機能４が有る程度上空させてからジェットエンジン２を駆動部３により正常噴射に設定する。この状態でネット製通路４は地上から１０００ｍまで伸びた状態を維持し、高温気体を上空に噴出する。
【００１３】
気温３０度の時１０００ｍ上空では約２０度程度である。ネット製通路４から噴出した気体の温度は１００度とした場合、その温度差に応じて更に激しく上昇と降下が起こり、上昇気流が外気温度まで下がると湿度が１００％を越えて積乱雲を発生する。
【００１４】
ネット製通路４は数百度の高温に耐えるように加工する。積乱雲発生時に雷が発生しやすいのでネット製通路４に避雷針用線も装着する。ジェットエンジン２の噴出孔に対して直径で１０倍以上で、ネット製通路４の直径を３０ｍとすれば、ジェットエンジン２の噴出孔直径３ｍ以下が望ましい。
【００１５】
ここでネット製通路４の１ｍ当たりの重量を１０ｋｇとすると、総重量を１０トンとなる。ネット製通路４から噴出する気体速度が秒速３０ｍとして、熱気球機能５が受ける風圧は約４５ｋｇ/ｍ２であるから、直径３０ｍの熱気球機能５は十分ネット製通路４を動作状態の長さ１０００ｍまで引き伸ばし保持できる。
【００１６】
更に積乱雲発生システムの効率を上げるために、積乱雲発生システムの周辺広い範囲に太陽光線の赤外線の発熱効果を促す黒とか赤い色の敷物を敷き詰めることでさらに積乱雲の発生を強くする。
【００１７】
この積乱雲発生システムは、エジブトやソウジアラビヤなどのほとんど雨の少ない砂漠地帯でも、海岸から砂漠の中ほどまで風の道を設けることで可能になる。この風の道は数十メートルの高さに取り付けたプロペラを多数用意し、一列に並べて風が１００ｋｍも先までも流れるように各プロペラの間の間隔を設定して、積乱雲発生システムの付近まで高い湿度の空気を運ぶことで積乱雲を発生させることができる。よって、地球上の広い範囲で積乱雲を発生させ降雨に寄与することができる。
【産業上の利用可能性】
【００１８】
地球上の温暖化現象を受けて異常気象による旱魃や豪雨災害が多発する状態においてその一方の旱魃災害を軽減するために降雨しやすい雲を発生させることで恵みの雨がふりやすくなり。植物の成長に寄与でき、従って，ＣＯ２を減少させて地球温暖化を防ぐ効果が得られる。
【図面の簡単な説明】
【００１９】
【図１】積乱雲発生システムの動作状態を示す説明図である。（実施例１）
【符号の説明】
【００２０】
１    ２階建構造
１ａ  １階部
１ｂ  ２階部
２    ジェットエンジン
３    駆動部
４    ネット性通路
５    熱気球機能
【図１】
2007104904.tif 000003